(57)【特許請求の範囲】
【請求項１】
合成樹脂製の内部容器を底板の上に載せ、底板に固定された格子状または板状の外被を用いることにより液体を輸送および貯蔵するためのパレット容器に、台枠として使われる、金属製の底板と脚とを備えたパレットであって、
浮動式に形成された底板および脚が一体的に鋼板片から、機械的形成方法、すなわち深絞りおよび／またはプレス成形または液体成形によって形成されたパレットにおいて、
前記底板が、開放、一部開放あるいは閉鎖された角脚および中央脚を有し、
前記底板および前記脚を一体的に形成する前記鋼板片が、前記底板の異なる応力が加わる部分に対応して、異なる厚さおよび／または異なる組成を有する鋼片部を備えることにより、異なる機械的強度特性を有することを特徴とするパレット。
【請求項２】
前記底板の縦側または横側の中央部から中心のパレット部を通って前記底板の相対する縦側または横側の中央部へ伸長する、前記底板から成形された平行補強リブによって、前記底板の橋桁状の補強が形成されていることを特徴とする請求項１記載のパレット。
【請求項３】
開かれたまたは一部閉じられた前記角脚および中央脚が覆板により外装を施されていることを特徴とする請求項１または２記載のパレット。
【請求項４】
前記脚を有する前記底板の製造のために、前記鋼板片が、底板の異なる荷重域に対応する異なる板厚および／または異なる材料組成をもつ板から溶接により形成されていることを特徴とする請求項１ないし３いずれか１項記載のパレット。
【請求項５】
前記底板および前記脚があらかじめ成形された補強リブを備えた前記鋼板片から製造されていることを特徴とする請求項１ないし４いずれか１項記載のパレット。
【請求項６】
前記底板および前記脚を一体的に形成するための前記鋼板片が、あらかじめ成形された補強リブを持つ板と少なくとも２つの別の平板とを溶接して、形成されていることを特徴とする請求項１ないし５いずれか１項記載のパレット。
【請求項７】
前記底板が上方へ湾曲していることを特徴とする請求項１ないし６いずれか１項記載のパレット。
【請求項８】
前記パレットが幾重にも互いに積重可能であることを特徴とする請求項１ないし７いずれか１項記載のパレット。
【請求項９】
金属または合成樹脂製の基礎枠が、前記底板の前記脚に固定されていることを特徴とする請求項１ないし８いずれか１項記載のパレット。
【請求項１０】
金属、合成樹脂または木材製の滑り部が、前記底板の前期脚に取付けられていることを特徴とする請求項１ないし９いずれか１項記載のパレット。
【発明の詳細な説明】
【０００１】
【発明の属する技術分野】
本発明は、金属製の底板と脚とを備え、特に、パレットの底板の上に載せる合成樹脂製の内部容器ならびに底板に固定された格子状物または板材製の外被の中で液体を輸送および貯蔵するためのパレット容器用の台枠としてのパレットに関する。
【０００２】
【従来の技術】
従来、金属パレットは溶接された金属形鋼または金属管構造として、あるいは深絞り部品および金属形鋼から製造されている。溶接された金属構造は一般に重い自重を有し、多大な製造コストを特徴としていた。深絞り部品から成る軽量構造は、平均的に構造強度が低く、積重ねおよび輸送が困難である。深絞り部品から成る多くの軽量構造では、パレット外側へ向けて閉じられた、シェル状の深絞り部品がパレット脚を形成する。パレットの強度は、標準的にパレット脚が溶接される閉じられたパレット基礎構造によって保証される。合成樹脂の内部容器を具備したパレット容器の場合、パレットの底板および格子状物または板材から成る外被へのパレット脚の結合は、一般にねじ止めによって行われる。この構造方式は、パレット脚が自支式に形成されていないので、金属製の滑りパレットが可能にならないか又は多大なコストでのみ可能である。底板へのパレット脚の改善された結合は、多大な技術的コストなしには実現できない。さらに、パレットが重ね式にできないため、積重ねおよび輸送することが困難である。最後に、重量を低減する合成樹脂製または木材製のパレット基礎構造は、パレット脚の不十分な固有安定性のために従来パレット容器用としては製作されていない。
【０００３】
【発明が解決しようとする課題】
本発明の基礎におく課題は、少ない自重での高い安定性と、好適の積重可能性と、パレット基礎構造の大きな形成自由性とを特徴とする金属パレットを開発することである。
【０００４】
【課題を解決するための手段】
この課題は、本発明に従って特許請求の範囲の請求項１の特徴を有する金属製のパレットによって解決される。
【０００５】
従属請求項は好ましくかつ目的に適した本発明の実施態様を含む。
【０００６】
【発明の実施の形態】
本発明は、以下、詳細に次のように示す概略図面の図を利用して説明する。
【０００７】
図１によるパレット１の主部材は、上方に湾曲した底板２ならびに鋼板製の４つの角脚３−６および４つの中脚７−１０および角脚と中脚３−１０とに固定された、鋼管製の基礎枠１１である。
【０００８】
浮動式に形成された底板２ならびに図１による基礎枠１１を備えたおよび図２による基礎枠なしのパレット１の４つの角脚３−６および４つの中脚７−１０は、一体型に図３に従って鋼板片１２から深絞りされていて、４つの角脚３−６および３つの中脚７−９は、鍋状に形成された底板２つの両方の縦側２ａ、２ｂおよび裏側２ｃで横へおよび下へ閉じられ、かつ上方へ開かれている。底板２の正面２ｄの中脚１０は、上方および前方へ開いている。
【０００９】
底板２は、角脚３−６から中心のパレット部１３へ伸長する４つの補強リブ１４−１７と、底板２の両方の縦側２ａ、２ｂ、裏側２ｃおよび正面側２ｄに沿って伸長するもう１つの周縁補強リブ１８とを有し、これが全部または一部角脚および中脚３−１０を通って案内されている。
【００１０】
図１および図２によるパレット１の底板２は、付加的に橋状の補強１９を有し、底板２から形成された、平行の補強リブ２０によって形成されていて、該補強リブが一方の縦側２ａの中央部２１から中心のパレット部１３を通って底板２の相対する縦側２ｂの中央部２２へ伸張し、中脚７、９が橋状の補強１９の中へ組み込まれている。
【００１１】
鋼板片１２から深絞りされた図４による底板２３は、図５に従って覆板２４−２６によって外装を施されている開かれた角脚および中脚３ａ−６ａ、７ａ−１０ａを有する。
【００１２】
図１および図２によるパレット１用の底板２および脚３−１０が一体型に深絞りされる図３による平らな鋼板片１２は、異なる強度値を達成するために、底板２の異なる荷重域に適合された、異なる板厚を有する鋼片部２７−２９を有する。
【００１３】
この「調整板取り」（Ｔａｉｌｏｒｅｄ  Ｂｌａｎｋｉｎｇ）の概念のもとに知られている板構造の最適化は、コスト的に好適の部材生産を背景として同時に製品を改良して行われる。脚３−１０を備えた底板２を製造するための厚く成形された鋼板片１２は、「たわみ圧延」（Ｆｌｅｘｉｂｌｅｓ  Ｗａｌｚｅｎ）によって製造され、ロール間隙調節が圧延プロセス中に所望の板厚に従って制御される。
【００１４】
さらに、脚３−１０を備えた底板を製造するために、異なる板厚を有する板３１−３３から底板２の異なる荷重域に従って溶接されている図６による鋼板片３０を使用する可能性がある。
【００１５】
鋼板片３０は、異なる材料組成を有する板３１−３３から底板２の異なる荷重域に従って溶接してもよい。
【００１６】
図１および図２による脚３−１０を備えた底板２の一体型の製造のための図７による鋼板片３４は、橋状の補強１９の前成形された補強リブ２０を有する。
【００１７】
脚３−１０を備えた底板２の製造のための図８による鋼板片３５は、補強１９の前成形された補強リブ２０を備えた板３６と２つの平板３７とから溶接されている。
【００１８】
基礎枠１１なしで、図２によるパレット１が互いに積重可能である。
【００１９】
図９に示したパレット１の場合、金属、合成樹脂または木材製の滑り部３８が脚３−１０に固定されている。
【００２０】
上方へ湾曲した底板２を備えたパレット１は、好ましくは底板の上に載る合成樹脂製の内部容器と底板および脚に固定された格子状物または板材から成る外被とを用いて、液体を輸送および貯蔵するためのパレット容器用の台枠として使用され、パレット容器の残留物を排出するための液体用の流出底部として形成された、内部容器の底部がパレットの底板の湾曲に適合されている。
【００２１】
さらに、平らな底板２を備えたパレット１は、種々の性質の貨物用の輸送および貯蔵パレットとして使用することができる。
【図面の簡単な説明】
【図１】一部開いた脚と基礎枠とを備えたパレットの斜視図
【図２】基礎枠なしの図１に対応するパレットの斜視図
【図３】図１および図２によるパレットを製造するための鋼板片の斜視図
【図４】パレット用の開かれた脚を備えた底板の斜視図
【図５】底板の脚が覆板によって外装を施されている図４による底板の斜視図
【図６】パレット用の脚を備えた底板を製造するための鋼板片の別の実施態様の斜視図
【図７】パレット用の脚を備えた底板を製造するための鋼板片の別の実施態様の斜視図
【図８】パレット用の脚を備えた底板を製造するための鋼板片の別の実施態様の斜視図
【図９】滑り部を備えたパレットの斜視図
【符号の説明】
１    パレット
２，２３    底板
１１    基礎枠
１２    鋼板片
１３    パレット部
１８    周縁補強リブ
２０    補強リブ
３８    滑り部
【図１】
0003574386.tif 000002
【図２】
0003574386.tif 000003
【図３】
0003574386.tif 000004
【図４】
0003574386.tif 000005
【図５】
0003574386.tif 000006
【図６】
0003574386.tif 000007
【図７】
0003574386.tif 000008
【図８】
0003574386.tif 000009
【図９】
0003574386.tif 000010